(57)【要約】【課題】同一の温度センサを用いること。【解決手段】同一の温度センサ１３１を各々異なる取付形態で保持及び保護する第１保護具１０及び第２保護具２０を備え、第１保護具は、第１挿入方向Ｄ１に沿って挿入された温度センサを保持及び保護する第１センサ保持構造体１１を有し、第２保護具は、第２挿入方向Ｄ２で挿入された温度センサを保持及び保護する第２センサ保持構造体２１を有し、第１センサ保持構造体は、温度センサの被係止部１３１ｅに対して第１挿入方向とは逆側で対向配置される係止部１２を設け、第２センサ保持構造体は、温度センサを収容するセンサ収容体２３とカバー体２４とを備え、センサ収容体とカバー体は、温度センサを挟持する第１当接部２５と第２当接部２６を有し、第１当接部と第２当接部の内の少なくとも一方は、被係止部に当接させるように形成すること。【選択図】図２
2019212531.tif 000002
【特許請求の範囲】
【請求項１】
測温体と基体と被保持体とがその順番で直線上に配列された同一の温度センサを保護する保護具であり、第１取付形態で前記温度センサを保持及び保護する第１保護具並びに第２取付形態で前記温度センサを保持及び保護する第２保護具を備え、
前記第１保護具は、前記配列方向に直交する第１挿入方向に沿って挿入された前記温度センサを保持及び保護して、前記温度センサを電池モジュールの電池セルに関わる第１測温位置に配置する第１センサ保持構造体を有し、
前記第２保護具は、前記配列方向に沿う第２挿入方向で挿入された前記温度センサを保持及び保護して、前記温度センサを前記電池モジュールの前記電池セルに関わる第２測温位置に配置する第２センサ保持構造体を有し、
前記第１センサ保持構造体は、前記温度センサの挿入完了後に前記被保持体の被係止部に対して前記第１挿入方向とは逆側で対向配置される係止部を、前記温度センサの複数の前記被係止部毎に設け、
前記第２センサ保持構造体は、前記温度センサの挿入口を有し、前記挿入口から挿入された前記温度センサを収容するセンサ収容体と、前記挿入口を塞ぐカバー体と、を備え、
前記センサ収容体は、前記カバー体との間で前記温度センサを前記配列方向で挟持するべく前記温度センサに当接させる第１当接部を有し、
前記カバー体は、前記センサ収容体との間で前記温度センサを前記配列方向で挟持するべく前記温度センサに当接させる第２当接部を有し、
前記第１当接部と前記第２当接部の内の少なくとも一方は、前記被係止部に当接させるように形成することを特徴とした保護装置。
【請求項２】
前記第１保護具は、前記電池セルから排出されたガスの第１流路上に前記温度センサを配置させるべく前記第１センサ保持構造体を設け、
前記第２保護具は、前記電池セルから排出されたガスの第２流路上に前記温度センサを配置させるべく前記第２センサ保持構造体を設けることを特徴とした請求項１に記載の保護装置。
【請求項３】
前記第１保護具は、前記第１センサ保持構造体で保持及び保護された前記温度センサから前記配列方向に沿って引き出された電線を保持及び保護する第１電線保持構造体を有し、
前記第２保護具は、前記第２センサ保持構造体で保持及び保護された前記温度センサから前記配列方向に対する直交方向に引き出された電線を保持及び保護する第２電線保持構造体を有することを特徴とした請求項１又は２に記載の保護装置。
【請求項４】
複数の電池セルを内在させた複数の電池モジュールと、
前記電池セルに関わる測温対象の温度検出用の温度センサを保護する保護装置と、
を備え、
前記保護装置は、測温体と基体と被保持体とがその順番で直線上に配列された同一の前記温度センサを保護する保護具であり、第１取付形態で前記温度センサを保持及び保護する第１保護具並びに第２取付形態で前記温度センサを保持及び保護する第２保護具を備え、
前記第１保護具は、前記配列方向に直交する第１挿入方向に沿って挿入された前記温度センサを保持及び保護して、前記温度センサを前記電池モジュールの前記電池セルに関わる第１測温位置に配置する第１センサ保持構造体を有し、
前記第２保護具は、前記配列方向に沿う第２挿入方向で挿入された前記温度センサを保持及び保護して、前記温度センサを前記電池モジュールの前記電池セルに関わる第２測温位置に配置する第２センサ保持構造体を有し、
前記第１センサ保持構造体は、前記温度センサの挿入完了後に前記被保持体の被係止部に対して前記第１挿入方向とは逆側で対向配置される係止部を、前記温度センサの複数の前記被係止部毎に設け、
前記第２センサ保持構造体は、前記温度センサの挿入口を有し、前記挿入口から挿入された前記温度センサを収容するセンサ収容体と、前記挿入口を塞ぐカバー体と、を備え、
前記センサ収容体は、前記カバー体との間で前記温度センサを前記配列方向で挟持するべく前記温度センサに当接させる第１当接部を有し、
前記カバー体は、前記センサ収容体との間で前記温度センサを前記配列方向で挟持するべく前記温度センサに当接させる第２当接部を有し、
前記第１当接部と前記第２当接部の内の少なくとも一方は、前記被係止部に当接させるように形成することを特徴とした電池パック。
【発明の詳細な説明】
【技術分野】
【０００１】
本発明は、保護装置及び電池パックに関する。
【背景技術】
【０００２】
従来、電気自動車やハイブリッド車等の車両には、その駆動源となる回転機に対して給電を行ったり、その回転機で生成された回生電力を充電したりするための電池パックが搭載されている。その電池パックは、複数の電池セルが配列され且つ導電部材を介して電気的に接続された電池モジュールを備える。この種の車両では、電池モジュールの安定した充放電制御を行うべく、電池セルの電池状態（温度や電圧等）を監視している。保護装置とは、電池状態検出センサを保護及び保持するものである。下記の特許文献１には、温度センサの取付構造が開示されている。
【先行技術文献】
【特許文献】
【０００３】
【特許文献１】特開２０１４−４４８５０号公報
【発明の概要】
【発明が解決しようとする課題】
【０００４】
ところで、温度センサは、電池パックにおいて、電池セルに関わる所定の複数箇所の測温位置に取り付ける。そして、電池パックにおいては、測温位置の場所や温度センサの取付作業性等に応じて、温度センサの取り付けの向きを変えざるを得ない場合がある。そのような場合には、例えば、１つの電池パックで複数種類の温度センサが用意される。
【０００５】
そこで、本発明は、取付形態が異なる場合でも同一の温度センサを用いることが可能な保護装置及び電池パックを提供することを、その目的とする。
【課題を解決するための手段】
【０００６】
上記目的を達成する為、本発明に係る保護装置は、測温体と基体と被保持体とがその順番で直線上に配列された同一の温度センサを保護する保護具であり、第１取付形態で前記温度センサを保持及び保護する第１保護具並びに第２取付形態で前記温度センサを保持及び保護する第２保護具を備え、前記第１保護具は、前記配列方向に直交する第１挿入方向に沿って挿入された前記温度センサを保持及び保護して、前記温度センサを電池モジュールの電池セルに関わる第１測温位置に配置する第１センサ保持構造体を有し、前記第２保護具は、前記配列方向に沿う第２挿入方向で挿入された前記温度センサを保持及び保護して、前記温度センサを前記電池モジュールの前記電池セルに関わる第２測温位置に配置する第２センサ保持構造体を有し、前記第１センサ保持構造体は、前記温度センサの挿入完了後に前記被保持体の被係止部に対して前記第１挿入方向とは逆側で対向配置される係止部を、前記温度センサの複数の前記被係止部毎に設け、前記第２センサ保持構造体は、前記温度センサの挿入口を有し、前記挿入口から挿入された前記温度センサを収容するセンサ収容体と、前記挿入口を塞ぐカバー体と、を備え、前記センサ収容体は、前記カバー体との間で前記温度センサを前記配列方向で挟持するべく前記温度センサに当接させる第１当接部を有し、前記カバー体は、前記センサ収容体との間で前記温度センサを前記配列方向で挟持するべく前記温度センサに当接させる第２当接部を有し、前記第１当接部と前記第２当接部の内の少なくとも一方は、前記被係止部に当接させるように形成することを特徴としている。
【０００７】
ここで、前記第１保護具は、前記電池セルから排出されたガスの第１流路上に前記温度センサを配置させるべく前記第１センサ保持構造体を設け、前記第２保護具は、前記電池セルから排出されたガスの第２流路上に前記温度センサを配置させるべく前記第２センサ保持構造体を設けることが望ましい。
【０００８】
また、前記第１保護具は、前記第１センサ保持構造体で保持及び保護された前記温度センサから前記配列方向に沿って引き出された電線を保持及び保護する第１電線保持構造体を有し、前記第２保護具は、前記第２センサ保持構造体で保持及び保護された前記温度センサから前記配列方向に対する直交方向に引き出された電線を保持及び保護する第２電線保持構造体を有することが望ましい。
【０００９】
また、上記目的を達成する為、本発明に係る電池パックは、複数の電池セルを内在させた複数の電池モジュールと、前記電池セルに関わる測温対象の温度検出用の温度センサを保護する保護装置と、を備え、前記保護装置は、測温体と基体と被保持体とがその順番で直線上に配列された同一の前記温度センサを保護する保護具であり、第１取付形態で前記温度センサを保持及び保護する第１保護具並びに第２取付形態で前記温度センサを保持及び保護する第２保護具を備え、前記第１保護具は、前記配列方向に直交する第１挿入方向に沿って挿入された前記温度センサを保持及び保護して、前記温度センサを前記電池モジュールの前記電池セルに関わる第１測温位置に配置する第１センサ保持構造体を有し、前記第２保護具は、前記配列方向に沿う第２挿入方向で挿入された前記温度センサを保持及び保護して、前記温度センサを前記電池モジュールの前記電池セルに関わる第２測温位置に配置する第２センサ保持構造体を有し、前記第１センサ保持構造体は、前記温度センサの挿入完了後に前記被保持体の被係止部に対して前記第１挿入方向とは逆側で対向配置される係止部を、前記温度センサの複数の前記被係止部毎に設け、前記第２センサ保持構造体は、前記温度センサの挿入口を有し、前記挿入口から挿入された前記温度センサを収容するセンサ収容体と、前記挿入口を塞ぐカバー体と、を備え、前記センサ収容体は、前記カバー体との間で前記温度センサを前記配列方向で挟持するべく前記温度センサに当接させる第１当接部を有し、前記カバー体は、前記センサ収容体との間で前記温度センサを前記配列方向で挟持するべく前記温度センサに当接させる第２当接部を有し、前記第１当接部と前記第２当接部の内の少なくとも一方は、前記被係止部に当接させるように形成することを特徴としている。
【発明の効果】
【００１０】
本発明に係る保護装置及び電池パックは、第１保護具と第２保護具とで温度センサの取付形態を異にするが、その第１保護具と第２保護具とで同一の温度センサを用いることができる。
【図面の簡単な説明】
【００１１】
【図１】図１は、実施形態の保護装置及び電池パックを示す斜視図である。
【図２】図２は、実施形態の保護装置及び電池パックを別角度から見た斜視図である。
【図３】図３は、温度検出具を示す斜視図である。
【図４】図４は、第１保護具の分解斜視図である。
【図５】図５は、第１保護具の第１センサ保持構造体を挿入口側から見た斜視図である。
【図６】図６は、温度検出具が取り付けられた第１保護具の第１センサ保持構造体を挿入口側から見た斜視図である。
【図７】図７は、温度検出具が取り付けられた第１保護具の第１センサ保持構造体を突出口側から見た斜視図である。
【図８】図８は、カバー部材について説明する分解斜視図である。
【図９】図９は、第２保護具の分解斜視図である。
【図１０】図１０は、第２保護具の第２センサ保持構造体とカバー体とを挿入口側から見た分解斜視図である。
【図１１】図１１は、温度検出具とカバー部材とが取り付けられた第２保護具の第２センサ保持構造体を突出口側から見た斜視図である。
【図１２】図１２は、温度検出具とカバー部材とが取り付けられた第２保護具の第２センサ保持構造体を示す平面図である。
【図１３】図１３は、図１２のＸ１−Ｘ１線断面図である。
【図１４】図１４は、図１２のＸ２−Ｘ２線断面図である。
【図１５】図１５は、カバー部材を内側から見た斜視図である。
【発明を実施するための形態】
【００１２】
以下に、本発明に係る保護装置及び電池パックの実施形態を図面に基づいて詳細に説明する。尚、この実施形態によりこの発明が限定されるものではない。
【００１３】
［実施形態］
本発明に係る保護装置及び電池パックの実施形態の１つを図１から図１５に基づいて説明する。
【００１４】
図１及び図２の符号１は、本実施形態の保護装置を示す。図１及び図２の符号１００は、本実施形態の電池パックを示す。
【００１５】
電池パック１００は、複数の電池モジュール１１０を備える（図１及び図２）。そして、電池モジュール１１０は、少なくとも１組の電池セル群（図示略）と、この電池セル群を収容して内在させる筐体１２０と、を備える（図１及び図２）。
【００１６】
電池セル群は、正負それぞれの電極端子を有する電池セル（図示略）の集合体であり、配列された複数の電池セルが導電部材（図示略）を介して電気的に接続されている。電池セルは、例えば、直方体状又は円柱状に形成されたセル本体を有する。直方体状の電池セルにおいては、例えば、セル本体の１つの壁面に正負それぞれの電極端子が配置されたり、セル本体の対向配置された２つの壁面に正負それぞれの電極端子が各々配置されたりしている。また、円柱状の電池セルにおいては、軸線方向における両端に正負それぞれの電極端子が各々配置されている。筐体１２０は、合成樹脂等の絶縁性材料で成形する。
【００１７】
この電池モジュール１１０を備える電池パック１００は、電池セルの状態（所謂電池状態）を検出するための電池状態検出具を備える。電池状態検出具は、電池状態を検出するセンサ（以下、「電池状態検出センサ」という。）と、この電池状態検出センサに対して電気的に接続された電線と、を備える。この電池状態検出具においては、検出対象となる電池状態に応じた電池状態検出センサが設けられている。この例示の電池パック１００は、電池状態検出具として、電池セルに関わる測温対象の温度を検出するための温度検出具１３０（図１から図３）を複数箇所に備える。ここでは、２箇所に温度検出具１３０を備えている。それぞれの温度検出具１３０は、電池セルの電池状態を監視する電池監視ユニット（図示略）に接続され、この電池監視ユニットに検出情報を送信する。
【００１８】
温度検出具１３０は、電池状態検出センサとして、電池セルに関わる測温対象の温度検出用の温度センサ１３１を備える（図３）。その温度センサ１３１は、測温対象の温度を検出する測温体１３１ａと、この測温体１３１ａを支持する基体１３１ｂと、保護装置１に保持させるための被保持体１３１ｃと、を有する。この温度センサ１３１においては、その測温体１３１ａと基体１３１ｂと被保持体１３１ｃとがその順番で直線上に配列されている。ここでは、温度の変化を抵抗値の変化に基づき検出するサーミスタを温度センサ１３１として利用する。この例示の温度センサ１３１は、電池セルから排出されたガスの温度を検出し、そのガスの温度に基づいて電池セルの電池状態を監視させる。
【００１９】
ここで、基体１３１ｂは、方体状に形成されている。被保持体１３１ｃは、連接された３つの矩形の平板状の壁部１３１ｄ１，１３１ｄ２，１３１ｄ３と、複数の被係止部１３１ｅと、を有する（図３）。それぞれの壁部１３１ｄ１，１３１ｄ２，１３１ｄ３は、測温体１３１ａと基体１３１ｂと被保持体１３１ｃの配列方向（以下、単に「配列方向」という。）に沿って、基体１３１ｂにおける測温体１３１ａとは逆側の外壁面１３１ｂ１の３つの辺部から各々同一方向に突出させている。この被保持体１３１ｃにおいては、配列方向に対する直交方向で対向配置された２つの壁部１３１ｄ１，１３１ｄ２に、被係止部１３１ｅが各々１つずつ設けられている。被係止部１３１ｅは、その直交方向に沿って、それぞれの壁部１３１ｄ１，１３１ｄ２から外方に向けて突出させる。この例示の被係止部１３１ｅは、その直交方向と配列方向とに直交する方向で相手方に係止されることが可能な爪状に形成している。
【００２０】
更に、この温度検出具１３０は、その温度センサ１３１から引き出された２本の電線１３２を備える（図３）。それぞれの電線１３２は、基体１３１ｂの外壁面１３１ｂ１から引き出された後、被保持体１３１ｃの空洞部１３１ｆを介して温度センサ１３１の外方に引き出される。空洞部１３１ｆとは、それぞれの壁部１３１ｄ１，１３１ｄ２，１３１ｄ３により形成される内方側の空間部のことである。
【００２１】
２箇所のそれぞれの温度検出具１３０には、各々、同一のものを用いる。但し、それぞれの温度検出具１３０においては、温度センサ１３１が同一である一方、配索経路如何で電線１３２の長さに違いが生じている場合もある。ここでは、その電線１３２の長さの違いに拘わらず、温度センサ１３１が同一であれば、温度検出具１３０も同一のものとして考える。
【００２２】
それぞれの温度検出具１３０は、保護装置１で保護する（図１及び図２）。その保護装置１は、同一の温度センサ１３１を保護する保護具であり、第１取付形態で温度センサ１３１を保持及び保護する第１保護具１０（図１及び図４から図８）と、第２取付形態で温度センサ１３１を保持及び保護する第２保護具２０（図１、図２及び図９から図１４）と、を備える。第１保護具１０とは、具体的に、２箇所のそれぞれの温度検出具１３０の内の一方を保護するためのものである。第２保護具２０とは、具体的に、２箇所のそれぞれの温度検出具１３０の内の他方を保護するためのものである。尚、図示しないが、第１保護具１０と第２保護具２０は、各々、電池モジュール１１０の所定位置（例えば、エンドプレート）に取り付けられる。
【００２３】
先ずは第１保護具１０について説明する。
【００２４】
第１保護具１０は、配列方向に直交する第１挿入方向Ｄ１に沿って挿入された温度センサ１３１を保持及び保護して、この温度センサ１３１を電池モジュール１１０の電池セルに関わる第１測温位置に配置する第１センサ保持構造体１１を有している（図４から図７）。第１挿入方向Ｄ１とは、先に示した直交方向と配列方向とに直交する方向に沿うものである。電池パック１００においては、電池セルから排出されたガスの第１流路上に第１測温位置が設定されている。第１保護具１０は、その第１流路上に温度センサ１３１を配置させるべく第１センサ保持構造体１１を設ける。
【００２５】
第１センサ保持構造体１１は、温度センサ１３１の挿入完了後に被保持体１３１ｃの被係止部１３１ｅに対して第１挿入方向Ｄ１とは逆側で対向配置される係止部１２を有する（図４から図７）。この第１センサ保持構造体１１は、その係止部１２を温度センサ１３１の複数の被係止部１３１ｅ毎に設けている。
【００２６】
更に、第１保護具１０は、第１センサ保持構造体１１で保持及び保護された温度センサ１３１から配列方向に沿って引き出された電線１３２を保持及び保護する第１電線保持構造体１３を有する（図４から図７）。その第１電線保持構造体１３は、基体１３１ｂから引き出された後、被保持体１３１ｃの空洞部１３１ｆを介して配列方向に沿って引き出された電線１３２を保持及び保護するように形成する。この第１電線保持構造体１３は、その電線１３２の配索経路に沿って形成されている。
【００２７】
具体的に、この例示の第１保護具１０は、温度センサ１３１及び電線１３２を収容し且つ保持する収容部材３０と、この収容部材３０に取り付けるカバー部材４０と、を備えている（図４）。収容部材３０とカバー部材４０は、合成樹脂等の絶縁性材料で成形する。この第１保護具１０においては、第１センサ保持構造体１１を収容部材３０に設け、第１電線保持構造体１３を収容部材３０とカバー部材４０とで構成する。よって、収容部材３０は、第１センサ保持構造体１１を成すセンサ収容体３１と、第１電線保持構造体１３を成す電線収容体３２と、を有している（図４から図７）。そのセンサ収容体３１と電線収容体３２は、一体となって成形されている。
【００２８】
センサ収容体３１は、収容部材３０において、温度センサ１３１を収容し且つ保持する部位である。センサ収容体３１は、矩形の主壁３１ａと、この主壁３１ａにおける対向配置された２つの辺部から同一方向に突出させた側壁３１ｂと、を有する（図５及び図７）。このセンサ収容体３１においては、その主壁３１ａと２つの側壁３１ｂとが成す内方の空間部を温度センサ１３１の収容室３１ｃとして利用する（図５）。また、このセンサ収容体３１においては、その主壁３１ａに対向配置されている開口を温度センサ１３１の収容室３１ｃへの挿入口３１ｃ１として利用する（図５）。更に、このセンサ収容体３１には、主壁３１ａと２つの側壁３１ｂの連接するそれぞれの端部が成す２つの開口が形成される。それぞれの開口は、配列方向で間隔を空けて対向配置させるものであり、一方を測温体１３１ａの突出口３１ｃ２として利用し、他方を電線１３２の引出口３１ｃ３として利用する（図５及び図６）。つまり、このセンサ収容体３１においては、突出口３１ｃ２から測温体１３１ａを外方に飛び出させた状態で収容室３１ｃに温度センサ１３１が収容される。また、電線１３２は、引出口３１ｃ３からセンサ収容体３１の外方に引き出されて、電線収容体３２へと案内される。
【００２９】
ここで、このセンサ収容体３１においては、収容室３１ｃと外方とを連通させる切欠き部３１ｄが２箇所に形成されている（図５から図７）。一方の切欠き部３１ｄは、主壁３１ａと一方の側壁３１ｂとの間の隅部の一部を切り欠いたものである。他方の切欠き部３１ｄは、主壁３１ａと他方の側壁３１ｂとの間の隅部の一部を切り欠いたものである。それぞれの切欠き部３１ｄには、温度センサ１３１の収容室３１ｃへの収容が完了した際に、この温度センサ１３１の被係止部１３１ｅが挿入される。このセンサ収容体３１においては、その挿入状態で、それぞれの側壁３１ｂにおける切欠き部３１ｄの端面を被係止部１３１ｅに対して第１挿入方向Ｄ１とは逆側で対向配置させる。つまり、このセンサ収容体３１においては、その切欠き部３１ｄの端面を係止部１２として利用し、この切欠き部３１ｄに挿入された被係止部１３１ｅに係止部１２を対向配置させることで、温度センサ１３１を保持する。
【００３０】
係止部１２と被係止部１３１ｅは、少なくともその内の一方が撓むように形成して、温度センサ１３１を収容室３１ｃへと収容する際に、爪状の被係止部１３１ｅが係止部１２を乗り越えることができるようにしている。例えば、被係止部１３１ｅは、可撓性を持たせた壁部１３１ｄ１，１３１ｄ２を撓ませることで、この壁部１３１ｄ１，１３１ｄ２と共に変位させる。また、係止部１２は、自らが可撓性を持つものであればよい。
【００３１】
電線収容体３２は、収容部材３０において、電線１３２を収容し且つ保持する部位である。電線収容体３２は、２本の電線１３２の配索経路に沿うように形成した主壁３２ａと、この主壁３２ａの延在方向に沿うように主壁３２ａの両端から各々突出させた側壁３２ｂと、を有する（図５から図７）。更に、この電線収容体３２は、２つの側壁３２ｂの間をこれらの延在方向に沿って間仕切りする仕切り壁３２ｃを複数箇所に有する（図５及び図６）。電線収容体３２においては、主壁３２ａに対向配置されている開口を２本の電線１３２の電線挿入口３２ｄとして利用する（図５及び図６）。仕切り壁３２ｃが存在する部分では、一方の側壁３２ｂと仕切り壁３２ｃとにおける突出方向側の端部の間の開口と、他方の側壁３２ｂと仕切り壁３２ｃとにおける突出方向側の端部の間の開口と、に電線挿入口３２ｄが分けられており、そのそれぞれの開口から電線１３２が挿入される。
【００３２】
この電線収容体３２には、その配索された電線１３２を保持するための保持部３２ｅを設けている。その保持部３２ｅは、それぞれの電線挿入口３２ｄに設けている（図８）。一方の保持部３２ｅは、仕切り壁３２ｃから一方の側壁３２ｂに向けて突出させた片持ちの爪状の係止体として形成している。他方の保持部３２ｅは、仕切り壁３２ｃから他方の側壁３２ｂに向けて突出させた片持ちの爪状の係止体として形成している。それぞれの保持部３２ｅは、自由端と側壁３２ｂとの間の隙間が電線１３２の径方向における最小の大きさよりも狭くなるように形成する。その隙間は、電線１３２の電線挿入口３２ｄからの押し込み挿入を可能にすると共に外力無しでの電線１３２の挿通が不能になるように設定する。保持部３２ｅの数量は、電線収容体３２の長さに応じて決める。この例示では、複数箇所に保持部３２ｅを設けている。
【００３３】
カバー部材４０は、電線収容体３２の電線挿入口３２ｄの全体又は一部を塞ぐことができるように形成する。この例示のカバー部材４０は、電線収容体３２の直線部分における電線挿入口３２ｄを塞ぐように直線状に形成する。このカバー部材４０は、電線収容体３２の複数箇所の直線部分に各々取り付ける。このカバー部材４０は、第１保護具１０と第２保護具２０とで共用させる。
【００３４】
電線収容体３２とカバー部材４０は、電線収容体３２の側壁３２ｂに設けた爪状の被係止部３２ｆと、カバー部材４０に設け、電線挿入口３２ｄを閉塞させている状態で被係止部３２ｆに引っ掛ける係止部４１と、を用いた保持機構で互いに保持する（図８）。この保持機構は、複数箇所に設けている。
【００３５】
次に、第２保護具２０について説明する。
【００３６】
第２保護具２０は、配列方向に沿う第２挿入方向Ｄ２で挿入された温度センサ１３１を保持及び保護して、この温度センサ１３１を電池モジュール１１０の電池セルに関わる第２測温位置に配置する第２センサ保持構造体２１を有している（図９から図１２）。電池パック１００においては、電池セルから排出されたガスの第２流路上に第２測温位置が設定されている。第２保護具２０は、その第２流路上に温度センサ１３１を配置させるべく第２センサ保持構造体２１を設ける。
【００３７】
第２センサ保持構造体２１は、温度センサ１３１の挿入口２２を有し、その挿入口２２から挿入された温度センサ１３１を収容するセンサ収容体２３と、その挿入口２２を塞ぐカバー体２４と、を備える（図９及び図１０）。
【００３８】
ここで、センサ収容体２３は、カバー体２４との間で温度センサ１３１を配列方向で挟持するべく温度センサ１３１に当接させる第１当接部２５を有する（図９、図１０、図１２及び図１３）。また、カバー体２４は、センサ収容体２３との間で温度センサ１３１を配列方向で挟持するべく温度センサ１３１に当接させる第２当接部２６を有する（図１４及び図１５）。つまり、第２センサ保持構造体２１は、センサ収容体２３の第１当接部２５とカバー体２４の第２当接部２６とで温度センサ１３１を挟み込むことによって、この温度センサ１３１を保持する。その第１当接部２５と第２当接部２６の内の少なくとも一方は、温度センサ１３１の被係止部１３１ｅに当接させるように形成する。
【００３９】
更に、第２保護具２０は、第２センサ保持構造体２１で保持及び保護された温度センサ１３１から配列方向に対する直交方向に引き出された電線１３２を保持及び保護する第２電線保持構造体２７を有する（図９から図１２）。その第２電線保持構造体２７は、基体１３１ｂから引き出された後、被保持体１３１ｃの空洞部１３１ｆを介して配列方向に対する直交方向に引き出された電線１３２を保持及び保護するように形成する。この第２電線保持構造体２７は、その電線１３２の配索経路に沿って形成されている。
【００４０】
具体的に、この例示の第２保護具２０は、温度センサ１３１及び電線１３２を収容し且つ保持する収容部材５０と、この収容部材５０に取り付けるカバー部材４０，６０と、を備えている（図９）。収容部材５０とカバー部材６０は、合成樹脂等の絶縁性材料で成形する。この第２保護具２０においては、第２センサ保持構造体２１のセンサ収容体２３を収容部材５０に設け、第２センサ保持構造体２１のカバー体２４をカバー部材６０に設ける。また、第２保護具２０においては、第２電線保持構造体２７を収容部材５０とカバー部材４０，６０とで構成する。よって、収容部材５０は、センサ収容体２３と、第２電線保持構造体２７を成す電線収容体５１と、を有している（図９から図１２）。そのセンサ収容体２３と電線収容体５１は、一体となって成形されている。
【００４１】
センサ収容体２３は、測温体１３１ａと基体１３１ｂを配列方向に沿って内方に収容する筒部２３ａを有する（図１０から図１４）。その筒部２３ａは、筒軸方向の両端を開口させており、その内の一方を測温体１３１ａの突出口２３ａ１として利用し（図１１及び図１３）、その内の他方を温度センサ１３１の挿入口２２として利用する（図９及び図１０）。
【００４２】
センサ収容体２３は、その筒部２３ａの筒軸方向における挿入口２２側の端部に設けた鍔部２３ｂを有する（図９から図１３）。この例示のセンサ収容体２３は、その鍔部２３ｂの壁面を第１当接部２５として利用し、温度センサ１３１の被係止部１３１ｅを当接させる（図１０、図１２及び図１３）。このセンサ収容体２３においては、測温体１３１ａと基体１３１ｂとが筒部２３ａに収容された際に、被係止部１３１ｅが第１当接部２５に当接する。
【００４３】
電線収容体５１は、２本の電線１３２の配索経路に沿うように形成した主壁５１ａと、この主壁５１ａの延在方向に沿うように主壁５１ａの両端から各々突出させた側壁５１ｂと、を有する（図１０から図１２）。更に、この電線収容体５１は、２つの側壁５１ｂの間をこれらの延在方向に沿って間仕切りする仕切り壁５１ｃを複数箇所に有する（図１０）。電線収容体５１においては、主壁５１ａに対向配置されている開口を２本の電線１３２の電線挿入口５１ｄとして利用する（図１０）。仕切り壁５１ｃが存在する部分では、一方の側壁５１ｂと仕切り壁５１ｃとにおける突出方向側の端部の間の開口と、他方の側壁５１ｂと仕切り壁５１ｃとにおける突出方向側の端部の間の開口と、に電線挿入口５１ｄが分けられており、そのそれぞれの開口から電線１３２が挿入される。
【００４４】
この電線収容体５１には、その配索された電線１３２を保持するための保持部５１ｅを設けている（図１０）。その保持部５１ｅは、それぞれの電線挿入口５１ｄに設けている。一方の保持部５１ｅは、仕切り壁５１ｃから一方の側壁５１ｂに向けて突出させた片持ちの爪状の係止体として形成している。他方の保持部５１ｅは、仕切り壁５１ｃから他方の側壁５１ｂに向けて突出させた片持ちの爪状の係止体として形成している。それぞれの保持部５１ｅは、自由端と側壁５１ｂとの間の隙間が電線１３２の径方向における最小の大きさよりも狭くなるように形成する。その隙間は、電線１３２の電線挿入口５１ｄからの押し込み挿入を可能にすると共に外力無しでの電線１３２の挿通が不能になるように設定する。保持部５１ｅの数量は、電線収容体５１の長さに応じて決める。この例示では、複数箇所に保持部５１ｅを設けている。
【００４５】
カバー部材４０は、第１保護具１０で用いたものと同じである。よって、このカバー部材４０は、電線収容体５１の複数箇所の直線部分に各々取り付けて、その直線部分における電線挿入口５１ｄを塞ぐ。
【００４６】
一方、カバー部材６０は、センサ収容体２３の挿入口２２側と、電線収容体５１におけるセンサ収容体２３側の電線挿入口５１ｄと、を塞ぐことができるように形成する。このカバー部材６０においては、そのセンサ収容体２３の挿入口２２側を塞ぐ部分がカバー体２４となる。先に示したように、そのカバー体２４には、第２当接部２６が設けられている。この例示の第２当接部２６は、カバー体２４から温度センサ１３１に向けて膨出させた膨出部として形成している（図１４及び図１５）。このカバー部材６０は、収容部材５０に取り付けた際に、第２当接部２６が温度センサ１３１に当接する。これにより、温度センサ１３１は、センサ収容体２３の第１当接部２５とカバー体２４の第２当接部２６とで挟持され、この第２保護具２０に収容及び保持される。
【００４７】
電線収容体５１には、電線収容体３２と同じように、側壁５１ｂに複数の爪状の被係止部５１ｆ（図１０）を設けている。よって、この電線収容体５１とカバー部材４０は、電線収容体５１の被係止部５１ｆとカバー部材４０の係止部４１とを用いた保持機構で互いに保持する。一方、センサ収容体２３には、被係止部５１ｆと同様の爪状の被係止部２３ｃを設けている（図１０から図１２）。そして、カバー部材６０には、係止部４１と同様の係止部６１を設けている（図１０から図１２）。よって、収容部材５０とカバー部材６０は、センサ収容体２３の被係止部２３ｃとカバー部材６０の係止部６１とを用いた保持機構、及び、電線収容体５１の被係止部５１ｆとカバー部材６０の係止部６１とを用いた保持機構で互いに保持する。
【００４８】
以上示したように、第１保護具１０においては、センサ収容体３１の係止部１２と温度センサ１３１の被係止部１３１ｅとを対向配置させることによって、温度センサ１３１を保持している。一方、第２保護具２０においては、センサ収容体２３の第１当接部２５とカバー体２４の第２当接部２６とで温度センサ１３１を挟み込むことによって、温度センサ１３１を保持している。つまり、この保護装置１においては、第１保護具１０と第２保護具２０とで温度センサ１３１の取付形態が異なる。しかしながら、この保護装置１においては、そのような温度センサ１３１の保持構造を第１保護具１０と第２保護具２０とが各々備えているので、第１保護具１０と第２保護具２０とで同一の温度センサ１３１を用いることができる。よって、電池パック１００においては、その保護装置１と同様の効果を得ることができるので、温度センサ１３１の取り付けの向きを変えざるを得ない場合でも、温度センサの種類を取り付けの向き毎に変える必要がない。従って、本実施形態の保護装置１及び電池パック１００は、第１保護具１０と第２保護具２０とでの温度センサ１３１の共用化に伴い、部品管理費用の低減等、原価の低減を図ることができる。
【符号の説明】
【００４９】
１  保護装置
１０  第１保護具
１１  第１センサ保持構造体
１２  係止部
１３  第１電線保持構造体
２０  第２保護具
２１  第２センサ保持構造体
２２  挿入口
２３  センサ収容体
２４  カバー体
２５  第１当接部
２６  第２当接部
２７  第２電線保持構造体
１００  電池パック
１１０  電池モジュール
１３０  温度検出具
１３１  温度センサ
１３１ａ  測温体
１３１ｂ  基体
１３１ｃ  被保持体
１３１ｅ  被係止部
１３２  電線
Ｄ１  第１挿入方向
Ｄ２  第２挿入方向
【図１】
2019212531.tif 000003
【図２】
2019212531.tif 000004
【図３】
2019212531.tif 000005
【図４】
2019212531.tif 000006
【図５】
2019212531.tif 000007
【図６】
2019212531.tif 000008
【図７】
2019212531.tif 000009
【図８】
2019212531.tif 000010
【図９】
2019212531.tif 000011
【図１０】
2019212531.tif 000012
【図１１】
2019212531.tif 000013
【図１２】
2019212531.tif 000014
【図１３】
2019212531.tif 000015
【図１４】
2019212531.tif 000016
【図１５】
2019212531.tif 000017